(57)【要約】【課題】  文字と図形のうち優先する一方を明確に把握可能な態様とした画像を形成して出力する技術を提案する。【解決手段】  印刷情報取得部１２により入力データが取得されると、文字データ展開部１３及び図形データ展開部１５により文字画像と図形画像に展開される。その後、配置関係判断部１４により文字画像と図形画像の配置関係が検証されて、文字画像と図形画像が重なり合っていて画像編集の必要があると判定された場合には、再利用対象選択部１１により文字又は図形のいずれが指定されたかが判定され、その判定結果に応じて、図形画像編集部１７による図形画像の編集、又は、文字画像編集部１６による文字画像の編集がなされることによって、指定されなかった方の画像から特定の接触関係にある画像部分が除去され、当該除去後の文字画像及び図形画像が画像合成部１９により合成されて出力される。【選択図】  図１
2010000641.tif 000002
【特許請求の範囲】
【請求項１】
文字情報及び図形情報を含むデータを取得する取得手段と、
前記取得手段により取得されたデータに基づく画像を文字画像と図形画像に分離する分離手段と、
文字又は図形の優先する一方を指定する指定手段と、
前記分離手段により分離された文字画像と図形画像のうち、前記指定手段により指定されなかった方の画像から特定の接触関係にある画像部分を除去する除去手段と、
前記除去手段による除去後における文字画像と図形画像を合成した画像を出力する出力手段と、
を備えたことを特徴とする画像形成装置。
【請求項２】
前記除去手段は、前記指定手段により指定されなかった方の画像から、特定の接触関係にある画像部分として、前記指定手段により指定された方の画像と重なり合う画像部分を除去するとともに当該画像部分の周囲の画像部分を除去する、
ことを特徴とする請求項１に記載の画像形成装置。
【請求項３】
前記除去手段は、前記指定手段により指定されなかった方の画像から、特定の接触関係にある画像部分として、前記指定手段により指定された方の画像及びその周囲の画像部分と重なり合う画像部分を除去する、
ことを特徴とする請求項１に記載の画像形成装置。
【請求項４】
前記図形情報には、文字を表す図形の情報が含まれ、
前記分離手段は、前記取得手段により取得されたデータに含まれる図形情報に基づく画像中の文字を表す図形の画像についても文字画像として分離する、
ことを特徴とする請求項１乃至請求項３のいずれか１項に記載の画像形成装置。
【請求項５】
前記分離手段は、前記取得手段により取得されたデータに含まれる図形情報に基づく画像を限定色化して限定色毎に抽出し、当該抽出結果に基づいて連結画素成分が特定の画素数の範囲内であるものを文字候補として検出し、当該検出結果に基づいて図形情報に基づく画像中で文字を表す図形の画像とみなされる部分についても文字画像として分離する、
ことを特徴とする請求項４に記載の画像形成装置。
【請求項６】
コンピュータに、
文字情報及び図形情報を含むデータを取得する取得機能と、
前記取得機能により取得されたデータに基づく画像を文字画像と図形画像に分離する分離機能と、
文字又は図形の優先する一方を指定する指定機能と、
前記分離機能により分離された文字画像と図形画像のうち、前記指定機能により指定されなかった方の画像から特定の接触関係にある画像部分を除去する除去機能と、
前記除去機能による除去後における文字画像と図形画像を合成した画像を出力する出力機能と、
を実現させるための画像形成プログラム。
【発明の詳細な説明】
【技術分野】
【０００１】
本発明は、画像形成装置及び画像形成プログラムに関する。
【背景技術】
【０００２】
従来、プリンタ等の画像形成装置においては、高速化や低コスト化に加え、形成画像の高画質（高解像・高階調）化を目的として技術開発が進められている。形成画像の高画質化という観点では、従来技術は形成された画像の利用者があくまでも人であることを前提としているため、例えば、形成された画像を読み取ってその画像に記載されている情報を自動で抽出するような用途で利用する際に、様々な不都合が生じる。
【０００３】
画像形成に関連する従来技術としては、以下のようなものがある。
例えば、特許文献１には、異なる二色の画像データを合成する際に、重複部分を検知して境界線を白画素で置き換えることで、境界部での色にじみを防ぐことを図る技術が開示されている。
例えば、特許文献２には、同一ページ内にイメージ画像情報データと文字情報データが混在した場合に、文字情報データ部分とイメージ画像情報データ部分の境界検知手段を設けることで、文字情報データとイメージ画像情報データを独立して処理し、それらの結果を合成する手法が開示されている。
【０００４】
例えば、特許文献３には、文字データとイメージデータいずれについても適応した印字画像データ処理を行って高画質高速印字を可能にする画像形成装置に関する技術が開示されている。
例えば、特許文献４には、データ源側の画像編集処理機能の有無に拘わらず印刷装置の付加機能により画像編集（拡大／縮小／トリミングなど）出力を行うことに関する技術が開示されている。
【０００５】
例えば、特許文献５には、描画モードがページメモリ内の描画データ呼び出しモードの場合には、新たな描画データとページメモリ内の描画データとの間で論理演算を行い、呼び出さないモードのときには新たな描画データでページメモリを上書きして印刷する装置において、特定用途の場合には、後者を利用する手法が開示されている。
例えば、特許文献６には、入力データから文字データを除外した画像データを生成して中間調処理を行うとともに、除外した文字データを展開し、中間調処理した画像データと合成してハードコピーを出力する手法が開示されている。
【０００６】
【特許文献１】特開平０２−０３０５６０号公報
【特許文献２】特開平０５−０１６４３３号公報
【特許文献３】特開平０５−０１６４４８号公報
【特許文献４】特開平０６−３４０１２９号公報
【特許文献５】特開平０７−０８１１５１号公報
【特許文献６】特開平０９−０１８７０３号公報
【発明の開示】
【発明が解決しようとする課題】
【０００７】
本発明は、文字と図形（例えば表罫線）のうち優先する一方を明確に把握可能な態様とした画像を形成して出力する技術を提案することを目的としている。
【課題を解決するための手段】
【０００８】
第１の本発明は、文字情報及び図形情報を含むデータを取得する取得手段と、前記取得手段により取得されたデータに基づく画像を文字画像と図形画像に分離する分離手段と、文字又は図形の優先する一方を指定する指定手段と、前記分離手段により分離された文字画像と図形画像のうち、前記指定手段により指定されなかった方の画像から特定の接触関係にある画像部分を除去する除去手段と、前記除去手段による除去後における文字画像と図形画像を合成した画像を出力する出力手段と、を備えたことを特徴とする画像形成装置である。
【０００９】
第２の本発明は、第１の本発明において、前記除去手段は、前記指定手段により指定されなかった方の画像から、特定の接触関係にある画像部分として、前記指定手段により指定された方の画像と重なり合う画像部分を除去するとともに当該画像部分の周囲の画像部分を除去する、ことを特徴とする。
【００１０】
第３の本発明は、第１の本発明において、前記除去手段は、前記指定手段により指定されなかった方の画像から、特定の接触関係にある画像部分として、前記指定手段により指定された方の画像及びその周囲の画像部分と重なり合う画像部分を除去する、ことを特徴とする。
【００１１】
第４の本発明は、第１〜第３の本発明において、前記図形情報には、文字を表す図形の情報が含まれ、前記分離手段は、前記取得手段により取得されたデータに含まれる図形情報に基づく画像中の文字を表す図形の画像についても文字画像として分離する、ことを特徴とする。
【００１２】
第５の本発明は、第４の本発明において、前記分離手段は、前記取得手段により取得されたデータに含まれる図形情報に基づく画像を限定色化して限定色毎に抽出し、当該抽出結果に基づいて連結画素成分が特定の画素数の範囲内であるものを文字候補として検出し、当該検出結果に基づいて図形情報に基づく画像中で文字を表す図形の画像とみなされる部分についても文字画像として分離する、ことを特徴とする。
【００１３】
第４の本発明は、コンピュータに、文字情報及び図形情報を含むデータを取得する取得機能と、前記取得機能により取得されたデータに基づく画像を文字画像と図形画像に分離する分離機能と、文字又は図形の優先する一方を指定する指定機能と、前記分離機能により分離された文字画像と図形画像のうち、前記指定機能により指定されなかった方の画像から特定の接触関係にある画像部分を除去する除去機能と、前記除去機能による除去後における文字画像と図形画像を合成した画像を出力する出力機能と、を実現させるための画像形成プログラムである。
【発明の効果】
【００１４】
第１の本発明に係る画像形成装置によると、文字と図形のうち優先する一方を明確に把握可能な態様とした画像を形成して出力することができる。
【００１５】
第２の本発明に係る画像形成装置によると、文字と図形のうち優先する一方と重なり合う部分が他方から除去されるとともにその周囲の部分も除去されるため、文字と図形のうち優先する一方を明確に把握可能な態様とした画像を形成して出力することができる。
【００１６】
第３の本発明に係る画像形成装置によると、文字と図形のうち優先する一方及びその周囲の部分と重なり合う部分が他方から除去されるため、文字と図形のうち優先する一方を明確に把握可能な態様とした画像を形成して出力することができる。
【００１７】
第４の本発明に係る画像形成装置によると、図形情報に基づく画像に含まれる文字を表す図形の画像についても文字画像として扱うことができる。
【００１８】
第５の本発明に係る画像形成装置によると、図形情報に基づく画像の限定色化により当該画像に含まれる文字候補の図形の画像を検出し、文字画像として扱うことができる。
【００１９】
第６の本発明に係る画像形成プログラムによると、文字と図形のうち優先する一方を明確に把握可能な態様とした画像を形成して出力することができる。
【発明を実施するための最良の形態】
【００２０】
本発明の一実施形態を、図面を参照して説明する。
図１には、入力された印刷情報データをドット形式の画像データに展開する画像形成装置の機能ブロック図が示されている。
本例の画像形成装置は、再利用対象選択部１１、印刷情報取得部１２、文字データ展開部１３、配置関係判断部１４、図形データ展開部１５、文字画像編集部１６、図形画像編集部１７、画像合成部１８、を備えている。
なお、本例の画像形成装置は、利用者による編集が可能な形式の電子文書に基づいて仮想的な印刷処理を行って、利用者による編集が制限された形式の電子文書を出力する仮想印刷装置（所謂、仮想プリンタ）により実現されているが、例えば紙媒体等に対して印刷処理を施す印刷装置やそのドライバにより実現することもできる。
【００２１】
印刷情報取得部１２は、文書編集アプリケーション等のソフトウェアから発行される印刷情報データを入力データとして取得する。なお、入力データ（印刷情報データ）には、文字情報及び図形情報が含まれるものとする。
【００２２】
再利用対象選択部１１は、文字又は図形のうちデータ再利用用途の対象とする（優先する）一方の指定を利用者により受け付ける。なお、印刷情報取得部１２により取得された入力データの元となった電子文書の種別、内容、属性等に基づいて、データ再利用用途の対象の指定を自動的に判別して受け付けるようにしてもよい。
【００２３】
文字データ展開部１３は、印刷情報取得部１２により取得された入力データに含まれる文字情報の展開処理を行って文字画像を得る。
図形データ展開部１５は、印刷情報取得部１２により取得された入力データに含まれる図形情報の展開処理を行って図形画像を得る。
【００２４】
配置関係判断部１４は、文字データ展開部１３により得られた文字画像と図形データ展開部１５により得られた図形画像との配置関係を判断し、互いに重なり合う画像部分を検出する。
【００２５】
文字画像編集部１６は、配置関係判断部１４により重なり合う画像部分が検出された場合であって、再利用対象選択部１１によりデータ再利用用途の対象として図形の指定を受け付けた場合（図形優先時）に、文字データ展開部１３により得られた文字画像から前記検出された画像部分及びその周囲の画像部分を除去する編集を行って、編集後の文字画像を画像合成部１８に供給する。上記の条件に該当しない場合には、文字データ展開部１３により得られた文字画像をそのまま画像合成部１８に供給する。
【００２６】
図形画像編集部１７は、配置関係判断部１４により重なり合う画像部分が検出された場合であって、再利用対象選択部１１によりデータ再利用用途の対象として文字の指定を受け付けた場合（文字優先時）に、図形データ展開部１５により得られた図形画像から前記検出された画像部分及びその周囲の画像部分を除去する編集を行って、編集後の図形画像を画像合成部１８に供給する。上記の条件に該当しない場合には、図形データ展開部１５により得られた図形画像をそのまま画像合成部１８に供給する。
【００２７】
なお、文字画像編集部１６及び図形画像編集部１７が一方の画像から除去する他方の画像と重なり合う部分の周囲の画像部分としては、当該重なり合う部分を、予め設定された固定の画素幅分だけ膨張させたものであってもよいが、出力画像の解像度として指定された値に応じた画素幅分だけ膨張させたものであることが好ましく、これにより出力画像の解像度によって文字画像と図形画像とが接触してしまう事態を回避することができる。
【００２８】
画像合成部１８は、文字画像編集部１６から供給された文字画像と図形画像編集部１７から供給された図形画像とを合成し、当該合成結果の画像を出力する。
【００２９】
本例では、本発明に係る取得手段を印刷情報取得部１２により構成し、本発明に係る分離手段を文字データ展開部１３及び図形データ展開部１５により構成し、本発明に係る指定手段を再利用対象選択部１１により構成し、本発明に係る除去手段を配置関係判断部１４及び文字画像編集部１６及び図形画像編集部１７により構成し、本発明に係る出力手段を画像合成部１８により構成している。
【００３０】
本例の画像形成装置による画像形成処理を、図２〜図４を参照して具体的に説明する。
印刷情報取得部１２が、本来であれば図２（ａ）に示すような印刷結果となる印刷情報データを入力データとして取得した場合、つまり、印刷結果の画像における“￥１００”を表す文字部分と当該文字を囲む枠線を表す図形部分とが下部において接触する場合について説明する。
【００３１】
この場合、文字データ展開部１３により、当該入力データに含まれる文字情報に基づいて、図３（ａ）に示すような“￥１００”を表す文字部分のみからなる画像が生成され、図形データ展開部１５により、当該入力データに含まれる文字情報に基づいて、図４（ａ）に示すような枠線を表す図形部分のみからなる画像が生成される。
そして、配置関係判断部１４により、文字データ展開部１３にて生成された文字画像と図形データ展開部１５にて生成された図形画像との重なり合う画像部分が検出される。
【００３２】
再利用対象選択部１１により文字の指定が受け付けられた場合（文字優先時）には、文字画像については、図３（ｂ）に示すように、文字画像編集部１６により編集されることなく画像合成部１８に供給される。一方、図形画像については、図４（ｂ）に示すように、図形画像編集部１７により文字画像と重なり合う画像部分及びその周囲の画像部分が除去されて画像合成部１８に供給される。この結果、図２（ｂ）に示すように、文字部分（“￥１００”の画像）と図形部分（枠線の画像）の接触を回避するとともに、優先する文字部分を明確に把握可能な態様とした画像が画像合成部１８により出力される。
【００３３】
再利用対象選択部１１により図形の指定が受け付けられた場合（図形優先時）には、文字画像については、図３（ｃ）に示すように、文字画像編集部１６により図形画像と重なり合う画像部分及びその周囲の画像部分が除去されて画像合成部１８に供給される。一方、図形画像については、図４（ｃ）に示すように、図形画像編集部１７により編集されることなく画像合成部１８に供給される。この結果、図２（ｃ）に示すように、文字部分（“￥１００”の画像）と図形部分（枠線の画像）の接触を回避するとともに、優先する図形部分を明確に把握可能な態様とした画像が画像合成部１８により出力される。
【００３４】
図５は、本例の画像形成装置による画像形成処理の処理フローの例を示している。
印刷情報取得部１２により入力データ（印刷情報データ）が取得されると、当該入力データの内容が文字情報と図形情報に分類されて（ステップＳ１１）、文字データ展開部１３により文字情報に基づいて文字画像に展開され、図形データ展開部１５により図形情報に基づいて図形画像に展開される（ステップＳ１２）。
【００３５】
ここで、入力データに文字情報及び図形情報の両方が含まれているか否かが判定され（ステップＳ１３）、両方が含まれている場合には、配置関係判断部１４により文字画像と図形画像の配置関係が検証されて（ステップＳ１４）、いずれかの画像を編集する必要があるか否かが判定される（ステップＳ１５）。文字画像と図形画像が重なり合っており、画像編集の必要があると判定された場合には、再利用対象選択部１１により文字又は図形のいずれが指定されたかが判定され（ステップＳ１６）、その判定結果に応じて、図形画像編集部１７による図形画像の編集（ステップＳ１７）、又は、文字画像編集部１６による文字画像の編集（ステップＳ１８）がなされ、編集後の文字画像及び図形画像が画像合成部１９により合成されて（ステップ１９）、合成結果の画像が出力される（ステップＳ２０）。
【００３６】
なお、ステップＳ１３において、入力データに文字情報又は図形情報のいずれか一方しか含まれていないと判定された場合や、ステップＳ１５において、文字画像と図形画像が重なり合っておらず、画像編集の必要がないと判定された場合には、文字画像及び図形画像は文字画像編集部１６及び図形画像編集部１７によって編集されることなく画像合成部１９により合成されて（ステップ１９）、合成結果の画像が出力される（ステップＳ２０）。
【００３７】
ここで、上記の説明では、文字画像又は図形画像の一方から、他方と重なり合う画像部分及びその周囲の画像部分を除去する処理について説明したが、他の態様による除去を行うようにしてもよい。
図６は、他の態様による除去に関する処理フローの例として、文字画像又は図形画像の一方から、他方の画像及びその周囲の画像部分と重なり合う画像部分を除去対象として検出する処理について示している。
【００３８】
配置関係判断部１４は、出力画像の解像度として指定された値を取得する（ステップＳ３１）。本例では、印刷情報取得部１２により取得された入力データ（印刷情報データ）に含まれている出力画像の解像度の指定値を取得している。
そして、取得した出力画像の解像度の指定値に基づいて、文字画像と図形画像の境界領域の画素幅を取得する（ステップＳ３２）。本例では、特定の演算式により解像度に応じた画素幅を計算して取得しているが、解像度と画素幅の関係テーブルを参照して取得するようにしてもよい。
【００３９】
その後、再利用対象選択部１１により文字又は図形のいずれが指定されたかを判定し（ステップＳ３３）、その判定結果に応じて、指定された方（優先する方）の画像の境界領域を前記取得した画素幅分だけ膨張させる（ステップＳ３４、Ｓ３５）。
画像の膨張処理後、膨張させた結果の画像と他方の画像を論理演算により比較し（ステップＳ３６）、互いの画像で重なり合う画素があるか否かを判定し（ステップＳ３７）、重なり合う画素があれば前記他方の画像を編集する必要ありと判断して（ステップＳ３８）、重なり合う画素の情報を文字画像編集部１６又は図形画像編集部１７による除去対象として記憶し（ステップＳ４０）、重なり合う画素がなければ前記他方の画像を編集する必要なしと判断する（ステップＳ３９）。
【００４０】
つまり、図７に示すように、例えば文字優先時においては、文字画像（“０”の画像）を解像度に応じた画素幅分だけ膨張させ、当該膨張結果の画像と図形画像（下線の画像）との重なり具合を判定する。これにより、文字画像及び図形画像の原画像同士が実際に接触関係にある場合に除去処理が実施されるほか、指定された解像度による出力画像同士が接触関係にあると想定される場合にも除去処理が実施されるため、出力画像の解像度が低いことによって文字画像と図形画像とが接触してしまうという事態の発生を回避することができる。
【００４１】
図８は、文字画像編集部１６又は図形画像編集部１７による重なり合う画像部分の除去処理の処理フローの例を示している。
文字又は図形のいずれが指定されたかを判定し（ステップＳ５１）、文字が指定された場合（文字優先時）には、図形画像編集部１７により、配置関係判断部１４に除去対象として記憶された前記重なり合う画素の情報に対応する画像部分が図形画像から除去され（ステップＳ５２）、図形が指定された場合（図形優先時）には、文字画像編集部１６により、配置関係判断部１４に除去対象として記憶された前記重なり合う画素の情報に対応する画像部分が図形画像から除去される（ステップＳ５３）。
重なり合う画像部分の除去は、例えば、該当する画素の色を背景色に置き換えればよく、本例では“白”に置き換えている。
【００４２】
図９は、図７の例に基づく判定結果に応じて重なり合う画像部分を除去する例を示している。同図によると、図形画像（下線の画像）から、文字画像（“０”の画像）を解像度に応じた画素幅分だけ膨張させた画像と重なり合う画像部分の画素が背景色（本例では“白”）に置き換えられ、除去されたことが分かる。
【００４３】
以上のように、本例の画像形成装置によると、入力データを画像データに展開する際に、文字画像と図形画像とに別々に展開し、両画像の有意な画素が互いに特定の範囲内に配置されているかを判断し、両画像の有意な画素が互いに特定の範囲内に配置されていると判定された場合に、文字と図形のうち予め指定された方（優先する方）の画像をそのままにして他方の画像に編集を加え（特定の接触関係にある画像部分を除去）、当該編集後の文字画像と図形画像を合成して出力しており、これにより、出力画像における文字と図形のうち優先する方の画像の情報抽出性が確保されるとともに両画像の接触が回避され、優先する方の画像を再利用する際の処理効率の向上（スキャン等による読み取り精度の向上など）が図られている。
【００４４】
次に、入力データ（印刷情報データ）に含まれる図形情報中に文字を表す図形の情報が含まれている場合の処理を、図１０の処理フローの例を参照して説明する。
印刷情報取得部１２により入力データ（印刷情報データ）が取得されると、当該入力データの内容が文字情報と図形情報に分類されて（ステップＳ７１）、文字データ展開部１３により文字情報に基づいて文字画像に展開され、図形データ展開部１５により図形情報に基づいて図形画像に展開される（ステップＳ７２）。
【００４５】
ここで、入力データに図形情報が含まれているか判定され（ステップＳ７３）、図形情報が含まれている場合には、図形画像を構成する要素の属性の判別処理が行われ（ステップＳ７４）、図形画像が文字候補となる要素を含むか判定される（ステップＳ７５）。図形画像に文字候補の要素が含まれると判定された場合には、その文字候補の要素を図形画像から除去して文字画像に加える（ステップＳ７６）。
【００４６】
その後、配置関係判断部１４により文字画像と図形画像の配置関係が検証されて（ステップＳ７７）、いずれかの画像を編集する必要があるか否かが判定される（ステップＳ７８）。文字画像と図形画像が重なり合っており、画像編集の必要があると判定された場合には、再利用対象選択部１１により文字又は図形のいずれが指定されたかが判定され（ステップＳ７９）、その判定結果に応じて、図形画像編集部１７による図形画像の編集（ステップＳ８０）、又は、文字画像編集部１６による文字画像の編集（ステップＳ８１）がなされ、編集後の文字画像及び図形画像が画像合成部１９により合成されて（ステップ８２）、合成結果の画像が出力される（ステップＳ８３）。
【００４７】
なお、ステップＳ７３において、入力データに図形情報が含まれていないと判定された場合、ステップＳ７５において、図形画像に文字候補の要素が含まれないと判定された場合（ただし、入力データに文字情報が含まれている場合は除外）、ステップＳ７８において、文字画像と図形画像が重なり合っておらず、画像編集の必要がないと判定された場合には、文字画像及び図形画像は文字画像編集部１６及び図形画像編集部１７によって編集されることなく画像合成部１９により合成されて（ステップ８２）、合成結果の画像が出力される（ステップＳ８３）。
【００４８】
ここで、図形画像からの文字候補の抽出性を高めるべく、図形画像を色毎に分類して処理するようにしてもよく、その処理について図１１を参照して説明する。
まず、図形画像を限定色化（例えば、２５６色から１６色に変換）し（ステップＳ９１）、図形画像を限定色毎にラベリングして抽出する（ステップＳ９２）。
そして、各限定色について、連結画素成分の外接矩形を検出し（ステップＳ９３）、その外接矩形のサイズが文字候補となり得る範囲内かを判定し（ステップＳ９４）、範囲内であればその連結画素成分を文字候補とする（ステップＳ９５）。上記ステップＳ９３〜Ｓ９５の処理を、限定色別に全ての連結画素成分について行う（ステップＳ９６、Ｓ９７）。
【００４９】
図１２には、図形画像を色毎に分類して文字候補を抽出する例を示している。
同図では、図形画像が“あいうえお”の文字を表す図形と、下線を表す図形により構成されており、“あ”、“い”、“う”、“え”、“お”の文字を表す図形の色はそれぞれ異なっており、“お”の文字を表す図形の色と下線を表す図形の色とが一致している。この場合、“あ”、“い”、“う”、“え”のそれぞれが連結画素成分として抽出されるとともに、“お”及び下線が結合した図形が連結画素成分として抽出される。ここで、“あ”、“い”、“う”、“え”の連結画素成分のサイズは文字候補となり得る範囲内であるが、“お”及び下線の結合に係る連結画素成分のサイズは文字候補となり得る範囲内ではない。このため、“あ”、“い”、“う”、“え”のみが文字候補として抽出されることとなる。
【００５０】
図１３は、本例の画像形成装置の主要なハードウェア構成を示している。
本例の読画像形成装置は、各種演算処理を行うＣＰＵ２１、ＣＰＵ２１の作業領域となるＲＡＭ２２、基本的な制御プログラムを記憶するＲＯＭ２３、本発明に係る機能を実現するためのプログラムや各種データを記憶するＨＤＤ２４、利用者に対する情報を表示出力するディスプレイ画面や利用者からの情報の入力を受け付けるマウス・キーボード等の機器とのインターフェースである入出力Ｉ／Ｆ２５、他の装置との間で通信を行うインターフェースである通信Ｉ／Ｆ２６、等のハードウェア資源を有するコンピュータにより構成されている。
そして、本発明に係るプログラムをＨＤＤ２４から読み出してＲＡＭ２２に展開し、これをＣＰＵ２１により実行させることで、本発明に係る各機能手段をコンピュータにより実現している。
【００５１】
なお、本発明に係るプログラムは、例えば当該プログラムを記憶したＣＤ−ＲＯＭ等の外部記憶媒体を配布する形式やネットワークを介して配信する形式により、本発明の実施者に提供される。
また、本発明に係る各機能手段は、本例のようなソフトウェア構成により実現する態様に限られず、それぞれ専用のハードウエアモジュールで構成してもよい。
また、本発明に係る各機能手段は、本例のように１台の装置により実現する態様に限られず、それぞれの機能手段を複数台の装置により実現するようにしてもよい。
【図面の簡単な説明】
【００５２】
【図１】本発明の一例に係る画像形成装置の機能ブロック図である。
【図２】本発明の一例に係る画像形成処理を説明するための図である。
【図３】本発明の一例に係る画像形成処理を説明するための図である。
【図４】本発明の一例に係る画像形成処理を説明するための図である。
【図５】本発明の一例に係る画像形成処理フローの例を示す図である。
【図６】本発明の一例に係る接触関係の判定処理フローの例を示す図である。
【図７】本発明の一例に係る接触関係の判定処理を説明するための図である。
【図８】本発明の一例に係る接触関係にある画像部分の除去処理フローの例を示す図である。
【図９】本発明の一例に係る接触関係にある画像部分の除去処理を説明するための図である。
【図１０】本発明の一例に係る画像形成処理フローの他の例を示す図である。
【図１１】本発明の一例に係る図形画像からの文字候補の抽出処理フローの例を示す図である。
【図１２】本発明の一例に係る図形画像からの文字候補の抽出処理を説明するための図である。
【図１３】本発明の一例に係る画像形成装置のハードウェア構成図である。
【符号の説明】
【００５３】
１１：再利用対象選択部、  １２：印刷情報取得部、  １３：文字データ展開部、  １４：配置関係判断部、  １５：図形データ展開部、  １６：文字画像編集部、  １７：図形画像編集部、  １８：画像合成部
【図１】
2010000641.tif 000003
【図２】
2010000641.tif 000004
【図３】
2010000641.tif 000005
【図４】
2010000641.tif 000006
【図５】
2010000641.tif 000007
【図６】
2010000641.tif 000008
【図７】
2010000641.tif 000009
【図８】
2010000641.tif 000010
【図９】
2010000641.tif 000011
【図１０】
2010000641.tif 000012
【図１１】
2010000641.tif 000013
【図１２】
2010000641.tif 000014
【図１３】
2010000641.tif 000015